(57)【要約】【課題】電源コードの収納性の向上、品質を確保したプロジェクタを提供する。【解決手段】プロジェクタ本体２と、電源コード１７をコードリール本体１５に巻装して収納可能なコードリールユニット３とを備え、コードリールユニット３をプロジェクタ本体２の下部に配置してプロジェクタ本体２の載置台としたプロジェクタ１であって、コードリールユニット３を、プロジェクタ本体２の吸気口４の上流側に配置したことにより、電源コード１７の収納性、使い勝手を向上することができるとともに、プロジェクタ１周囲にコードリールユニット３を設置する為の収納ペースを不要としプロジェクタ１をコンパクトにすることができる。また、電源コード１７の温度上昇を抑えることができ、電源コード１７の寿命の低下を防ぐことができる。【選択図】図１
2011033824.tif 000002
【特許請求の範囲】
【請求項１】
本体と、電源コードを所定状態で収納可能なユニットとを備え、前記ユニットを前記本体の下部に配置して前記本体の載置台としたプロジェクタであって、前記ユニットは、前記本体の通気部の所定方向側に配置されたものとすることを特徴とするプロジェクタ。
【請求項２】
リールに備えた第１の桟と、前記ユニットの通気部に備えた第２の桟とを、前記通気部の所定方向に一致した状態で保持する手段を備えたことを特徴とする請求項１記載のプロジェクタ。
【発明の詳細な説明】
【技術分野】
【０００１】
本発明は、電源コードを備えたプロジェクタに関する。
【背景技術】
【０００２】
従来のプロジェクタは、使用する際に電源コードを本体に差込み、使用が終った際には電源コードを抜き、手で電源コードを束ねて収納していた。
【特許文献１】特開２００３−２４４４９９号公報
【発明の開示】
【発明が解決しようとする課題】
【０００３】
しかし、従来のプロジェクタの構成では、プロジェクタ使用時の準備に時間が掛かること、電源コードの収納が乱雑になったり、収納の方法によっては、断線することも考えられる。又、電源コードを紛失することもある等の問題点があった。
【０００４】
本発明は、上記問題点を解決して、電源コードの収納性の向上、品質を確保したプロジェクタを提供することを目的とする。
【課題を解決するための手段】
【０００５】
請求項１の発明のプロジェクタでは、本体と、電源コードを所定状態で収納可能なユニットとを備え、前記ユニットを前記本体の下部に配置して前記本体の載置台としたプロジェクタであって、前記ユニットは、前記本体の通気部の所定方向側に配置されたものとすることを特徴とする。
【０００６】
請求項２の発明のプロジェクタでは、リールに備えた第１の桟と、前記ユニットの通気部に備えた第２の桟とを、前記通気部の所定方向に一致した状態で保持する手段を備えたことを特徴とする。
【発明の効果】
【０００７】
請求項１の発明によれば、電源コードの収納性、使い勝手を向上することができるとともに、ユニットが本体の載置台を兼ねることで、プロジェクタ周囲にユニットを設置する為の収納ペースを不要とすることができる。また、ユニットを本体の通気部の所定方向側に設置することにより、電源コード自体が冷却され、電源コードの温度上昇を抑えることができ、電源コードの寿命の低下を防ぐことができる。
【０００８】
請求項２の発明によれば、ユニットへの気体の通過を阻害しない構成とすることができる。
【発明を実施するための最良の形態】
【０００９】
以下、添付図面を参照しながら、本発明におけるプロジェクタの好ましい各実施例を説明する。
【実施例１】
【００１０】
まず、図１乃至図４に基づき、本発明の一例であるプロジェクタの構成について説明する。このプロジェクタの構成は、以下に説明する各実施例に共通するものである。本実施例のプロジェクタ１は、プロジェクタ本体２と、コードリールユニット３とを備えている。プロジェクタ本体２は、直方体状に形成された筐体であり、吸気口４（図４参照）と排気口（図示せず）がそれぞれ形成されている。吸気口４は、プロジェクタ本体２の底面部５に形成されたものとする。また、プロジェクタ本体２内部には、光源としてのランプ８や冷却装置としての冷却ファン（図示せず）等を備えている。
【００１１】
コードリールユニット３は、平面形状をプロジェクタ本体２と略同形状に形成された直方体状の筐体である。コードリールユニット３の上面部９の形状は、プロジェクタ本体２の底面部５と略同形状に形成されている為、コードリールユニット３の上面部９はプロジェクタ本体２を載置可能に構成されている。ここで、コードリールユニット３をプロジェクタ本体２の載置台として使用する場合に、プロジェクタ本体２の底面部５を当接支持可能とする支持部材１０がコードリールユニット３の上面部９の四隅に配設されている。
【００１２】
また、コードリールユニット３の底面部１１および上面部９には、互いに対に形成された吸気口１２と排気口１３がそれぞれ形成されている。
【００１３】
ここで図４に示すように、コードリールユニット３側の吸気口１２および排気口１３、そしてプロジェクタ本体２側の吸気口４は、コードリールユニット３をプロジェクタ本体２の載置台として使用した場合に、プロジェクタ本体２側の吸気口４の吸気方向Ｆの上流側にコードリールユニット３側の排気口１３が配設されており、さらにプロジェクタ本体２側の吸気口４の吸気方向Ｆに対して上流側から順に、コードリールユニット３側の吸気口１２、コードリールユニット３側の排気口１３、プロジェクタ本体２側の吸気口４が略直列的に配設された構成である。
【００１４】
また図４に示すようにコードリールユニット３側の排気口１３は、略円形状に形成された貫通部として形成されたものであり、このコードリールユニット３側の排気口１３の略中央から放射状に架設された、本実施例においては略十字状に架設された補強用の桟部材１４の前記略中央、つまり交差部分には、コードリールユニット３内部に備えた円筒状のコードリール本体１５が回動自在に軸支されている。この桟部材１４と同様に構成された桟部材（図示せず）が、コードリールユニット３側の吸気口１２に架設されている。
【００１５】
さらに、排気口１３側の桟部材１４の交差部分の外側には、コードリール本体１５に巻装され、先端に電源プラグ１６を備えた電源コード１７とプロジェクタ本体２とを電気的に接続する接続手段１８の一方の接続端子として、コードリールユニット３側の接続端子１９を備えており、もう一方の接続端子として、プロジェクタ本体２の底面部５に、コードリールユニット３側の接続端子と接続可能なプロジェクタ本体２側の接続端子（図示せず）を備えている。
【００１６】
また、コードリールユニット３内部には、吸気口１２より取り込まれた外部空気を、コードリールユニット３内部のコードリール本体１５に巻き回される電源コード１７の収納スペース、特に、コードリールユニット３の内壁とコードリール本体１５に巻き回された電源コード１７の巻き束の外周との間を通過させて、排気口１３より排気させる流路（図４中、矢印Ｆで表記）が形成されている。
【００１７】
さらに流路は、図４に示すようにコードリールユニット３の内壁と電源コード１７の巻き束の外周との間における流路の幅寸法L１,Ｌ２は、電源コード１７の巻き束の外周径Ｄに比例して変化するものである。ここで流路についてさらに詳細に説明すると、電源コード１７がコードリールユニット３外部に引き出された場合には、コードリール本体１５の電源コード１７の巻き束の巻き回数の減少に伴って減少する外周径Ｄによって流路の幅寸法Ｌ１,Ｌ２が増加して、流路が拡張されるように構成されており、反対に、電源コード１７をコードリールユニット３内部に引込まれて収納された場合には、コードリール本体１５の電源コード１７の巻き束の巻き回数の増加に伴って増加する外周径Ｄによって流路の幅寸法Ｌ１,Ｌ２が減少して、流路が縮小されるように構成されている。
【００１８】
また、コードリールユニット３の底面部１１には、コードリールユニット３、つまりプロジェクタ本体２の高さおよび角度調整が可能な脚部２０を備えている。
【００１９】
さらに、コードリール本体１５には、略中央から放射状に架設され、本実施例においては略十字状に架設されるとともに、コードリールユニット３側の吸気口１２および排気口１３にそれぞれ備えた桟部材（図示せず）及び桟部材１４と略同形状に形成された桟部材２１を備えている。
【００２０】
以上の構成のプロジェクタ１の作用効果について説明する。まずは、コードリールユニット３がプロジェクタ本体２の載置台を兼ねることにより、コードリールユニット３を設置する為にプロジェクタ１の周囲に大きなスペースを必要とすることがなく、電源コード１７の収納性、使い勝手を向上することができる。
【００２１】
次に、電源コード１７の引き出し及び引込みによる収納について説明を行う。プロジェクタ１の使用者は電源コード１７を引張り、コードリール本体１５を付勢力に抗して巻取り方向と反対方向に回転させると、電源コード１７がコードリールユニット３から引き出される。電源コード１７がコードリールユニット３から所定の長さだけ引き出されたところで、電源コード１７を引っ張っていた手を離し、電源コード１７に作用していた引出し方向への張力を解除すると、コードリール本体１５と制動手段（図示せず）とが係合状態となり、付勢手段（図示せず）により巻取り方向に回転しようとするコードリール本体１５の回転動作は制動され、コードリール本体１５は停止状態で保持される。
【００２２】
もう一度電源コード１７を引っ張り、手を放すと、コードリール本体１５と制動手段（図示せず）との係合状態が解除され、付勢手段（図示せず）による付勢力により電源コード１７を巻き取ると、電源コード１７の収納が行われる。
【００２３】
この場合、コードリールユニット３を、弾性復元力等の付勢力によって、コードリール本体１５を常時巻き取り方向に回転可能に設け、電源コード１７のコードリールユニット３への引き出し、引き込みを自動的に行うことが出来るようにゼンマイバネ等の付勢手段（図示せず）を組み込んだ構成とし、且つ、コードリールユニット３から引き出された電源コード１７を必要な長さで保持できるように、巻き取り方向に回転しようとするコードリール本体１５に係止または係合してコードリール本体１５の回転を制動させる係合機構を有する制動手段（図示せず）を備えたことにより、電源コード１７収納時のわずらわしさを解消し、電源コード１７の収納性、使い勝手を向上させることができる。
【００２４】
続いて、電源プラグ１６を商用電源等のコンセント（図示せず）に接続すると、電源コード１７よりプロジェクタ本体２に電源が供給され、プロジェクタ本体２が動作可能となる。その後、プロジェクタ本体２を作動させると、冷却ファン（図示せず）が作動し、プロジェクタ本体２側の吸気口４から外部の空気がプロジェクタ本体２内部に取り込まれると、取り込まれた空気は光源であるランプ８を冷却した後、熱風として排気口（図示せず）より排気される。
【００２５】
ここで、プロジェクタ本体２の冷却ファン（図示せず）を作動することによって、プロジェクタ本体２側の吸気口４付近には負圧が生じて、そのために吸気口４付近から外部空気がプロジェクタ本体２内部に取り込まれるが、その際、プロジェクタ本体２側の吸気口４より取り込まれる外部空気の一部として、プロジェクタ本体２をコードリールユニット３に載置することにより、コードリールユニット３下部の吸気口１２から吸い込まれコードリールユニット３内部を通過し、コードリールユニット３上部の排気口１３より排気された空気も取り込まれる。
【００２６】
以下、コードリールユニット３内部を通過する外部空気の流れについて説明する。コードリールユニット３内部を通過する外部空気において、プロジェクタ本体２側の吸気口４の上流側に配置されたコードリールユニット３側の排気口１３では、プロジェクタ本体２に備えた冷却ファン（図示せず）を作動させることにより、コードリールユニット３の内部から外部に向けての空気の流れが生じており、この空気の流れによりコードリールユニット３では、吸気口１２より外部空気を取り込み、その取り込んだ外部空気をコードリールユニット３内部で流通させ、排気口１３より排気する空気の流路が形成され、この流路を流通する外部空気と電源コード１７は熱交換を行い、電源コード１７の冷却が行われる。この場合、コードリールユニット３をプロジェクタ本体２のランプ８の冷却用の空気の流路における吸気側の上流に設置することにより、コードリールユニット３自体が冷却され、コードリールユニット３およびコードリールユニット３内部の電源コード１７の温度上昇を抑えることができるので、コードリールユニット３および電源コード１７の寿命低下を防ぐことができる。
【００２７】
ここで、コードリールユニット３内部に形成された流路において、電源コード１７の引出し又は引込みによる電源コード１７の巻き束の巻き数の変化、つまり電源コード１７の巻き束の外周径Ｄの変化に略比例して、コードリールユニット３の内壁と電源コード１７の巻き束の外周との間の幅寸法Ｌ１,Ｌ２は変化するため、電源コード１７がコードリールユニット３外部に引き出された場合には、コードリール本体１５の電源コード１７の巻き束の巻き回数の減少に略比例して減少する外周径Ｄによって流路の幅寸法Ｌ１,Ｌ２が増加して流路が拡張されると、コードリールユニット３内部を流通する外部空気の流量は増加する。この場合、電源コード１７をコードリールユニット３から引き出すことで、コードリールユニット３内部の電源コード１７が収納されていた収納スペースが空くと、コードリールユニット３内部により多くの空気を取り込むことを可能とする構成としたことにより、コードリールユニット３内部の熱交換率を向上させ、電源コード１７の冷却効率を向上させる。
【００２８】
また、コードリールユニット３側の上面部９に備えた支持部材１０によって、プロジェクタ本体２側の底面部４とコードリールユニット３の上面部９とは所定間隔を空けた状態で保持されているため、プロジェクタ本体２とコードリールユニット３は互いの熱の影響を受け難い構造となっている。
【００２９】
さらに、コードリールユニット３側の上面部９および底面部１１にそれぞれ配設された排気口１３および吸気口１２からは、コードリールユニット３内部に巻き取られた電源コード１７を視認可能に構成としたことで、コードリール本体１５に巻き取られた電源コード１７の巻取り状態の異常を容易に視認することができ、電源コード１７を確実に収納することができる。
【００３０】
以上のように本実施例では請求項１に対応しており、プロジェクタ本体２と、電源コード１７をコードリール本体１５に巻装して収納可能なコードリールユニット３とを備え、コードリールユニット３をプロジェクタ本体２の下部に配置してプロジェクタ本体２の載置台としたプロジェクタ１であって、コードリールユニット３を、プロジェクタ本体２の吸気部としての吸気口４の上流側に配置されたものである。
【００３１】
この場合、電源コード１７の収納性、使い勝手を向上することができるとともに、コードリールユニット３がプロジェクタ本体２の載置台を兼ねることで、プロジェクタ１周囲にコードリールユニット３を設置する為の大きな収納ペースを不要としプロジェクタ１の構成をコンパクトにできる。また、コードリールユニット３をプロジェクタ本体２の吸気口４の上流側に設置することにより、コードリール化した電源コード１７自体が冷却され、電源コード１７の温度上昇を抑えることができ、電源コード１７の寿命の低下を防ぐことができる。
【実施例２】
【００３２】
図５乃至図７は、本実施例におけるプロジェクタ１の構成を示したものであるが、制動手段の構成以外は第１実施例と同じ構成である。  本実施例の制動手段２２は、軸部１５Ａを回転軸として回転自在に設けられたコードリール本体１５側の桟部材２１に対応してコードリール本体１５の外周からコードリール本体１５の放射方向に立設された爪状の係止片２３と、コードリール本体１５側の桟部材２１とコードリールユニット３側の吸気口１２および排気口１３のそれぞれに設けた桟部材（図示せず）及び桟部材１４とが、コードリールユニット３の通気方向および排気方向（ともに図４中において矢印Ｆで表記）に略一致した状態で係止片２３と係合して、コードリール本体１５の回転を規制可能な回転止め部２４を備え、コードリール本体１５の桟部材２１と、コードリールユニット３の吸気口１２および排気口１３のそれぞれに設けた桟部材（図示せず）及び桟部材１４とが、コードリールユニット３の吸気方向に略一致するように、コードリール本体１５の回転を規制するものである。
【００３３】
回転止め部２４は、コードリール本体１５の外周に軸部を回転軸２４Ａとして一方向（図６及び図７中、時計回り方向）にのみ回動可能に配設されており、反対方向（図６及び図７中、時計回り方向）へは回動不能に設けられている。
【００３４】
本実施例では、係止手段２２を備えたことにより、電源コード１７をコードリールユニット３から所定の長さだけ引き出す際に、プロジェクタ１の使用者はコードリール本体１５に巻き回して巻装された電源コード１７を引張り、コードリール本体１５を付勢力に抗して巻取り方向と反対方向である引き出し方向（図６及び図７中、時計回り方向）に回転させると、電源コード１７がコードリールユニット３から引き出される。この場合、一方向（図６及び図７中、反時計回り方向）のみに回転可能に設けられた回転止め部２４は、コードリール本体１５に備えた係止片２３を逃がす方向（前記一方向）に回転するため、引き出し方向（図６及び図７中、時計回り方向）に回転するコードリール本体１５の回転動作は規制されない。
【００３５】
その後、電源コード１７がコードリールユニット３から所定の長さだけ引き出されたところで、電源コード１７を引っ張っていた手を離し、電源コード１７に作用していた引出し方向（図６及び図７中、時計回り方向）への張力を解除すると、コードリール本体１５と制動手段２２とが係合状態となり、付勢手段（図示せず）により巻取り方向（図６及び図７中、反時計回り方向）に回転しようとするコードリール本体１５の回転動作は制動され、コードリール本体１５は停止状態で保持される。このようにして、電源コード１７は、コードリールユニット３から所定の長さだけ引き出された状態で保持されるが、この場合、コードリール本体１５が巻取り方向（図６及び図７中、反時計回り方向）に回転すると、コードリール本体１５の備えた係止片２３と回転止め部２４とが係止して、コードリール本体１５側の桟部材２１とコードリールユニット３側の吸気口１２および排気口１３のそれぞれに設けた桟部材（図示せず）及び桟部材１４とがコードリールユニット３の吸気方向および排気方向（図４中においてともに矢印Ｆにて表記）おいて略一致した状態で保持される。ここで、コードリールユニット３の吸気方向および排気方向（矢印Ｆ方向）にコードリール本体１５側の桟部材２１とコードリールユニット３側の吸気口１２および排気口１３のそれぞれに設けた桟部材（図示せず）及び桟部材１４とを略一致させたことにより、吸気時および排気時にコードリールユニット３側の吸気口１２および排気口１３を流通する空気の抵抗を低減させて、空気の吸い込み、及び、吐き出しを阻害しない構成とすることにより、吸気口１２および排気口１３の通気性を向上させることができる。
【００３６】
本実施例では請求項２に対応しており、コードリールたるコードリール本体１５に備えた第１の桟としての桟部材２１と、コードリールユニット３の通気部たる吸気口１２および排気口１３のそれぞれに設けた第２の桟たる桟部材（図示せず）及び桟部材１４とを、吸気口１２および排気口１３の通気方向（Ｆ方向）に一致した状態で保持する保持手段として制動手段２２を備えている。
【００３７】
この場合、コードリールユニット３の吸気口１２および排気口１３に取り込まれる冷却用空気の吸い込みを阻害しない構成とすることができる。
【００３８】
なお、本発明は上記各実施例に限定されるものではなく、本発明の趣旨を逸脱しない範囲で変更可能である。例えば、プロジェクタ本体２の構成は上記実施例に限られるものではなく、さまざまな仕様変更が可能である。また、プロジェクタ本体２側の排気口の配置についても、プロジェクタ本体２の吸気口４の吸気方向（矢印Ｆ方向）に配設して、前記吸気方向にコードリールユニット３側の吸気口１２、コードリールユニット３の排気口１３、プロジェクタ本体２の吸気口４、プロジェクタ本体２の排気口の順に略直列的に配置するために、プロジェクタ本体２の上面部に配設させてもよい。この場合、プロジェクタ本体２の排気効率を向上させて、プロジェクタ本体２の冷却効率を向上させることができる。吸気口１２、排気口１３、及び、コードリール本体１５に備えた各桟部材（図示せず）,１４,２１の形状は、十字以外の放射形状としてもよく、桟部材同士が同形状となれば上記形状に限定されるものではない。
【図面の簡単な説明】
【００３９】
【図１】本発明の第１実施例におけるプロジェクタの斜視図である。
【図２】同上、プロジェクタ本体と置き台を分割した状態を示す斜視図である。
【図３】同上、図２において電源コードを引き出した状態での空気の流れを示す斜視図である。
【図４】同上、プロジェクタの内部構造を示す一部切欠断面図である。
【図５】本発明の第２実施例におけるコードリールユニットの斜視図である。
【図６】同上、コードリール本体と制動手段周辺を示す平面図である。
【図７】同上、図６においてコードリールユニットの桟とリードユニットの桟とが一致して保持された状態を示す平面図である。
【符号の説明】
【００４０】
１  プロジェクタ
２  プロジェクタ本体
３  コードリールユニット
４  吸気口（吸気部）
１２  吸気口（通気部）
１３  排気口（通気部）
１４  桟部材（第２の桟）
１５  コードリール本体（コードリール）
２１  桟部材（第１の桟）
２２  制動手段（保持手段）
【図１】
2011033824.tif 000003
【図２】
2011033824.tif 000004
【図３】
2011033824.tif 000005
【図４】
2011033824.tif 000006
【図５】
2011033824.tif 000007
【図６】
2011033824.tif 000008
【図７】
2011033824.tif 000009